(57)【要約】  第１〜第３の各太陽電池パネル（１１）の棟側端部には、係合部（１５ｎ）を有する第１及び第２の係合部材（１５）が桁方向に互いに間隔を空けて取り付けられ、各太陽電池パネル（１１）の軒側端部には、被係合部（２１ｉ）を有する第１及び第２の被係合部材（２１）が桁方向に互いに間隔を空けて取り付けられ、第１の太陽電池パネル（１１）の第１の係合部材（１５）の係合部（１５ｎ）は、第２の太陽電池パネル（１１）の第１の被係合部材（２１）の被係合部（２１ｉ）に係合している一方、第１の太陽電池パネル（１１）の第２の係合部材（１５）の係合部（１５ｎ）は、第３の太陽電池パネル（１１）の第２の被係合部材（２１）の被係合部（２１ｉ）に係合している。
2020054197.tif 000002
【特許請求の範囲】
【請求項１】
第１〜第３の太陽電池パネルを、第１の太陽電池パネルが第２及び第３の太陽電池パネルの軒側に隣接するように屋根面に設置した設置構造であって、
前記各太陽電池パネルの棟側端部には、係合部を有する第１及び第２の係合部材が桁方向に互いに間隔を空けて取り付けられ、
前記各太陽電池パネルの軒側端部には、被係合部を有する第１及び第２の被係合部材が桁方向に互いに間隔を空けて取り付けられ、
前記第１の太陽電池パネルの第１の係合部材の係合部は、前記第２の太陽電池パネルの第１の被係合部材の被係合部に係合している一方、前記第１の太陽電池パネルの第２の係合部材の係合部は、前記第３の太陽電池パネルの第２の被係合部材の被係合部に係合していることを特徴とする太陽電池パネルの設置構造。
【請求項２】
請求項１に記載の太陽電池パネルの設置構造において、
前記各太陽電池パネルに対する第１の係合部材の係合部及び第２の被係合部材の被係合部の桁方向の相対位置が互いに等しく、かつ前記各太陽電池パネルに対する第２の係合部材の係合部、及び第１の被係合部材の被係合部の桁方向の相対位置が互いに等しいことを特徴とする太陽電池パネルの設置構造。
【請求項３】
請求項１又は２に記載の太陽電池パネルの設置構造において、
前記第１及び第２の係合部材の係合部、及び前記第１及び第２の被係合部材の被係合部の一方は、桁方向に延びる溝であり、
前記第１及び第２の係合部材の係合部、及び前記第１及び第２の被係合部材の被係合部の他方は、前記溝に挿入された突出片であることを特徴とする太陽電池パネルの設置構造。
【請求項４】
請求項３に記載の太陽電池パネルの設置構造において、
前記第１及び第２の係合部材の係合部は、桁方向に延び、かつ棟側に開放する溝であり、当該第１及び第２の係合部材が取り付けられる太陽電池パネルの棟側端部の表側に位置し、
前記第１及び第２の被係合部材の被係合部は、桁方向に延び、かつ軒側に向けて突出する突出片であり、当該第１及び第２の被係合部材が取り付けられる太陽電池パネルの軒側端部の裏側に位置していることを特徴とする太陽電池パネルの設置構造。
【請求項５】
請求項１〜４のいずれか１項に記載の太陽電池パネルの設置構造において、
前記各太陽電池パネルの棟側端部には、当該太陽電池パネルの棟側端部を厚さ方向両側から挟持する棟側挟持部材が桁方向に互いに間隔を空けて取り付けられ、
前記第１及び第２の係合部材は、前記棟側挟持部材に太陽電池パネル裏方向から当接する棟側当接面部と、該棟側当接面部の桁方向両外側で該棟側当接面部よりも太陽電池パネル表方向に突出して前記棟側挟持部材に桁方向両外側から対向する棟側突出部とを備えていることを特徴とする太陽電池パネルの設置構造。
【請求項６】
請求項１〜５のいずれか１項に記載の太陽電池パネルの設置構造において、
前記各太陽電池パネルの軒側端部には、当該太陽電池パネルの軒側端部を厚さ方向両側から挟持する軒側挟持部材が桁方向に互いに間隔を空けて取り付けられ、
前記第１及び第２の被係合部材は、前記軒側挟持部材に太陽電池パネル裏方向から当接する軒側当接面部と、該軒側当接面部の桁方向両外側で該軒側当接面部よりも太陽電池パネル表方向に突出して前記軒側挟持部材に桁方向両外側から対向する軒側突出部とを備えていることを特徴とする太陽電池パネルの設置構造。
【請求項７】
請求項１〜６のいずれか１項に記載の太陽電池パネルの設置構造において、
前記第１及び第２の係合部材は、金属製であり、
前記第１の太陽電池パネルに取り付けられた第１及び第２の係合部材の少なくとも一方には、第１の接続部が設けられ、
前記第２の太陽電池パネルに取り付けられた第１及び第２の係合部材の少なくとも一方には、第２の接続部が設けられ、
前記第１及び第２の接続部をアース線を介して接続することにより、第１及び第２の太陽電池パネルが電気的に接続されていることを特徴とする太陽電池パネルの設置構造。
【発明の詳細な説明】
【技術分野】
【０００１】
本発明は、複数の太陽電池パネルを、軒棟方向に隣り合う太陽電池パネルの位置が桁方向にずれるように屋根面に設置した設置構造に関する。
【背景技術】
【０００２】
特許文献１には、複数の太陽電池パネルを、軒棟方向に隣り合う太陽電池パネルの位置が桁方向にずれるように屋根面に設置した設置構造が開示されている。
【先行技術文献】
【特許文献】
【０００３】
【特許文献１】特許第３６６０５２０号公報
【発明の概要】
【発明が解決しようとする課題】
【０００４】
ところで、特許文献１のような太陽電池パネルの設置構造において、太陽電池パネルを桁方向に位置決めする作業を容易にしたいという要望がある。【０００５】
本発明は、かかる点に鑑みてなされたものであり、その目的とするところは、太陽電池パネルを桁方向に位置決めする作業を容易にすることにある。
【課題を解決するための手段】
【０００６】
本発明は、第１〜第３の太陽電池パネルを、第１の太陽電池パネルが第２及び第３の太陽電池パネルの軒側に隣接するように屋根面に設置した設置構造において、前記各太陽電池パネルの棟側端部には、係合部を有する第１及び第２の係合部材が桁方向に互いに間隔を空けて取り付けられ、前記各太陽電池パネルの軒側端部には、被係合部を有する第１及び第２の被係合部材が桁方向に互いに間隔を空けて取り付けられ、前記第１の太陽電池パネルの第１の係合部材の係合部は、前記第２の太陽電池パネルの第１の被係合部材の被係合部に係合している一方、前記第１の太陽電池パネルの第２の係合部材の係合部は、前記第３の太陽電池パネルの第２の被係合部材の被係合部に係合していることを特徴とする。
【発明の効果】
【０００７】
本発明によれば、第１の太陽電池パネルの第１の係合部材の係合部を、第２の太陽電池パネルの第１の被係合部材の被係合部に係合させるだけで、第１の太陽電池パネルが桁方向に第２の太陽電池パネルに対して位置決めされる。また、第１の太陽電池パネルの第２の係合部材の係合部を、第３の太陽電池パネルの第２の被係合部材の被係合部に係合させるだけで、第１の太陽電池パネルが桁方向に第３の太陽電池パネルに対して位置決めされる。したがって、太陽電池パネルを桁方向に位置決めする作業が容易になる。
【図面の簡単な説明】
【０００８】
【図１Ａ】図１Ａは、実施形態１に係る太陽電池パネルの設置構造が適用された屋根面を示す平面図である。
【図１Ｂ】図１Ｂは、太陽電池パネルを外した状態における屋根面を示す斜視図である。
【図２】図２は、建材一体型太陽電池モジュールを屋根面の表側から見た図である。
【図３】図３は、建材一体型太陽電池モジュールを屋根面の裏側から見た図である。
【図４Ａ】図４Ａは、図１ＢのIVａ−IVａ線に対応するベースプレートの断面図である。
【図４Ｂ】図４Ｂは、図１ＢのIVｂ−IVｂ線に対応するベースプレートの断面図である。
【図５】図５は、太陽電池パネルを外した状態における桁方向に隣り合う３つの建材一体型太陽電池モジュールの正面図である。
【図６】図６は、ケーブル、棟側フレーム部材、ガスケット、及び棟側フレーム部材周りのベースプレートの斜視図である。
【図７】図７は、棟側フレーム部材、ガスケット、及び棟側フレーム部材周りのベースプレートの斜視図である。
【図８】図８は、軒側フレーム部材、ガスケット、カバー部材、及び軒側フレーム部材周りのベースプレートの斜視図である。
【図９】図９は、軒側フレーム部材、及び軒側フレーム部材周りのベースプレートの斜視図である。
【図１０】図１０は、図１ＢのＸ−Ｘ線における断面図である。
【図１１】図１１は、軒側部材の斜視図である。
【図１２】図１２は、図１１のXII−XII線における断面図である。
【図１３】図１３は、第１棟側カバー周りの斜視図である。
【図１４】図１４は、実施形態２の図３相当図である。
【図１５】図１５は、実施形態２の図７相当図である。
【図１６】図１６は、実施形態２の図８相当図である。
【図１７】図１７は、建材一体型太陽電池モジュールと第１の水切り部材の斜視図である。
【図１８】図１８は、図１７のXVIII−XVIII線に対応する断面図である。
【図１９】図１９は、第２の水切り部材の斜視図である。
【図２０】図２０は、実施形態２の変形例１の図１８相当図である。
【図２１】図２１は、実施形態２の変形例２の図１８相当図である。
【図２２】図２２は、実施形態３の図１Ｂ相当図である。
【図２３】図２３は、実施形態３の変形例１の図２２相当図である。
【図２４】図２４は、実施形態３の変形例２の図２２相当図である。
【図２５】図２５は、３段用水切り部材の斜視図である。
【発明を実施するための形態】
【０００９】
以下、本発明の実施形態について図面に基づいて説明する。
【００１０】
（実施形態１）
図１Ａ及び図１Ｂは、寄棟屋根を構成する１対の屋根面１の一方を示す。各屋根面１は、野地板３ａ（図１０参照）及び防水シート３ｂ（図１０参照）で構成された屋根下地３（図１０参照）を備えている。つまり、屋根下地３表面は、全体に亘って防水シート３ｂで覆われている。以下、屋根面１を外から見た場合の手前側、すなわち、太陽が当たる側を表側と呼び、その反対側を裏側と呼ぶ。また、屋根面１の表側から見て軒棟方向と直交する方向を桁方向と呼ぶものとする。また、屋根面１の表側から見て屋根面１の表側から見て右側（図１Ａ中右側）を右側、屋根面１の表側から見て左側（図１Ａ中左側）を左側と呼ぶ。
【００１１】
そして、屋根下地３表面の桁方向中央（一部）の領域には、６つの建材一体型太陽電池モジュール５ａ〜５ｆが敷設されている。詳しくは、防水シート３ｂ表面の軒側端部の桁方向中央部に、建材一体型太陽電池モジュール５ａ〜５ｃが右側から順に配設され、これら建材一体型太陽電池モジュール５ａ〜５ｃの棟側に建材一体型太陽電池モジュール５ｄ，５ｅが右側から順に配設され、これら建材一体型太陽電池モジュール５ｄ，５ｅの棟側に建材一体型太陽電池モジュール５ｆが配設されている。建材一体型太陽電池モジュール５ａ〜５ｆは、共通の構成を有しているので、区別する必要のない場合には符号５を付す。建材一体型太陽電池モジュール５ａ〜５ｆの非敷設領域には、複数のスレート７が敷設されている。
【００１２】
＜太陽電池モジュールの構成＞
各建材一体型太陽電池モジュール５は、図２及び図３にも示すように、不燃材としてのメッキ鋼板で形成された平面視台形状のベースプレート９と、本発明の実施形態１に係る設置構造を適用してベースプレート９の表側に配設される太陽電池パネル１１とを有している。ベースプレート９を構成する不燃材として、アルミ、ステンレス等、メッキ鋼板以外の金属を採用してもよい。なお、図２中、太陽電池パネル１１を２点鎖線で示す。
【００１３】
−ベースプレート−
図４Ａに示すように、ベースプレート９の桁方向一端（左側の端部）には、表側に向かって断面Ｕ字状に折れ曲がった左側折曲部９ａが形成されている。左側折曲部９ａは、ベースプレート９上に存在する水が左外側に侵出するのを防ぐための水返しとして機能する。一方で、ベースプレート９の桁方向他端（右側の端部）には、裏側に向かって断面Ｕ字状に折れ曲がった右側折曲部９ｂが形成されている。
【００１４】
図４Ｂに示すように、ベースプレート９の軒棟方向一端（棟側の端部）には、右側端部を除く全長に亘って、表側に向かって断面Ｕ字状に折れ曲がった棟側折曲部９ｃが形成されている。棟側折曲部９ｃは、ベースプレート９上に存在する水が棟方向外側に侵出するのを防ぐための水返しとして機能する。一方で、ベースプレート９の軒棟方向他端（軒側の端部）には、裏側に向かって断面Ｕ字状に折れ曲がった軒側折曲部９ｊが形成されている。
【００１５】
なお、図４Ａでは、左側折曲部９ａ及び右側折曲部９ｂが断面Ｕ字状に折れ曲がっているものとしたが、これに限定されない。例えば、左側折曲部９ａ及び右側折曲部９ｂが、断面Ｌ字状に折れ曲がった形状であったり、折り返されて表裏方向に完全につぶれたような形状であってもよい。同様に、棟側折曲部９ｃ及び軒側折曲部９ｊ（図４Ｂ参照）も、断面Ｕ字状に限定されるものではなく、断面Ｌ字状に折れ曲がった形状であったり、折り返されて表裏方向につぶれたような形状であってもよい。
【００１６】
図５に示すように、ベースプレート９の軒側の辺（端縁）は、略水平に延びる一方、ベースプレート９の棟側の辺（端縁）は、軒側の辺に対して桁方向一方（図５中右側）に向けて軒側に傾斜している。これにより、桁方向に隣接配置された建材一体型太陽電池モジュール５のベースプレート９の桁方向端部同士を重ねて配置する場合でも、棟側折曲部９ｃ同士が重なり合わず、ベースプレート９間に厚さ方向の段差が生じにくい。
【００１７】
また、ベースプレート９の棟側端縁における棟側折曲部９ｃに右側から隣接する箇所には、コ字状の切欠部９ｄが形成されている。ベースプレート９の棟側端縁近傍には、６つの棟側取付孔９ｅが桁方向に間隔を空けて貫通形成されている。
【００１８】
ベースプレート９の棟側端部には、表側に膨出する１対の棟側膨出部９ｆが桁方向に間隔を空けて形成されている。棟側膨出部９ｆは、平面視で桁方向に長い長方形状をなしている。棟側膨出部９ｆには、１対の棟側ネジ挿通孔９ｇが桁方向に間隔を空けて形成されている。ベースプレート９の下端部における棟側膨出部９ｆと軒棟方向（流れ方向）に対向する位置には、表側に膨出し、かつ軒側に開放する１対の軒側膨出部９ｈが桁方向に間隔を空けて形成されている。この軒側膨出部９ｈは、平面視で、棟側端部が棟側に向けて徐々に細くなり、かつ上端部を除く領域が一定の幅で軒棟方向に延びる略五角形状をなしている。軒側膨出部９ｈには、１対の軒側ネジ挿通孔９ｉが桁方向に間隔を空けて形成されている。軒側膨出部９ｈの膨出高さＨ１（図１０参照）は、棟側膨出部９ｆの膨出高さＨ２（図１０参照）よりも高くなっている。
【００１９】
−緩衝材−
各ベースプレート９の表面（反屋根下地３側の面）には、２つの平面視矩形状の略板状の緩衝材１３がその板面をベースプレート９の表面に沿わせた状態で互いに間隔を空けるとともにベースプレート９の外周縁との間に間隔を空けて配置されている。緩衝材１３は、発泡ポリスチレン等、衝撃吸収機能及び断熱機能の少なくとも一方を有する樹脂で形成される。
【００２０】
図６に示すように、緩衝材１３の裏面には、裏側に向かって徐々に幅広となる断面浅皿形状で軒棟方向全体に延びる１本の第１裏側溝部１３ａ及び２本の第２裏側溝部１３ｂが、互いに桁方向に間隔を空けて形成されている。これにより、第１裏側溝部１３ａとベースプレート９との間及び第２裏側溝部１３ｂとベースプレート９との間に、断面台形状で軒棟方向に延び、雨水等を通過させるための空間部が形成される。なお、第1溝部（第１裏側溝部１３ａと２本の第２裏側溝部１３ｂ）の形状や数配置等は特に限定されるものではない。例えば、第1溝部の形状が断面半円形状のような他の形状であってもよい。図６では、一例として、第１裏側溝部１３ａが２本の第２裏側溝部１３ｂに桁方向両側から挟まれるように配置され、第１裏側溝部１３ａが第２裏側溝部１３ｂよりも幅狭に形成されている例を示している。
【００２１】
一方、緩衝材１３の表面には、表側に向かって徐々に幅広となる断面浅皿形状で軒棟方向全体に延びる４本の第１表側溝部１３ｃが桁方向に互いに間隔を空けて形成されている。これにより、第１表側溝部１３ｃと太陽電池パネル１１との間には、断面台形状で軒棟方向に延びる空間部が形成されている。換言すると、緩衝材１３の表面には、軒棟方向に長い５つの第１表側溝部１３ｃの非形成領域を有し、この非形成領域で太陽電池パネル１１の桁方向及び軒棟方向の中間部分を支持している。これにより、太陽電池パネル１１裏側の通気性が確保され、太陽電池パネル１１の温度上昇を抑えている。なお、第１表側溝部１３ｃの非形成領域の数は、５つに限定されるものではなく、例えば、緩衝材１３のサイズ等に応じて４つ以下または６つ以上であってもよい。
【００２２】
各第１表側溝部１３ｃ非形成領域には、表側に向かって徐々に幅広となる断面浅皿形状で桁方向全体に延びる３本の第２表側溝部１３ｄが軒棟方向に互いに間隔を空けて形成されている。これにより、第２表側溝部１３ｄと太陽電池パネル１１との間には、断面台形状で桁方向に延びる空間部が形成されている。
【００２３】
なお、緩衝材１３の表面に形成される溝部の形状、数、及び配置は、上述したような第１表側溝部１３ｃ及び第２表側溝部１３ｄの形状、数、及び配置に限定されない。
【００２４】
緩衝材１３表面の水の排出をスムーズにする観点から、第２表側溝部１３ｄの軒側の側壁は、桁方向一方（図２では右側）に向かって軒方向に傾斜し、第１表側溝部１３ｃの深さは、第２表側溝部１３ｄの深さよりも深くなっている。
【００２５】
緩衝材１３の裏面における第１裏側溝部１３ａ及び第２裏側溝部１３ｂの形成されていない領域は、ベースプレート９の表面に両面テープにより接着されている。また、緩衝材１３の表面における第１表側溝部１３ｃ及び第２表側溝部１３ｄの形成されていない領域は、太陽電池パネル１１の裏面に接着されていない。
【００２６】
−棟側フレーム部材−
図７にも示すように、ベースプレート９の各棟側膨出部９ｆには、太陽電池パネル１１の棟側端部を支持する金属製の係合部材としての棟側フレーム部材１５が桁方向に間隔を空けて表側から取り付けられている。また、棟側フレーム部材１５と対応する位置において、各棟側膨出部９ｆの裏側には、長方形状の棟側補助板１７が裏側から取り付けられている（図３参照）。棟側補助板１７には、１対の棟側締結孔１７ａが長手方向に間隔を空けて形成されている。
【００２７】
棟側フレーム部材１５は、その一方の面をベースプレート９に当接させて桁方向に延びる平面視長方形板状の取付面部１５ａを備えている。取付面部１５ａには、１対の棟側ネジ孔１５ｂ（図３参照）が上記ベースプレート９の棟側ネジ挿通孔９ｇに対応するように長手方向（桁方向）に間隔を空けて形成されている。該取付面部１５ａの長手方向に延びる軒側の端縁には、板面を軒棟方向に向けてベースプレート９表方向に突出する板状の立面部１５ｃが一体に形成されている。立面部１５ｃは、取付面部１５ａと同一の幅で連続する中央部１５ｄと、該中央部１５ｄの基端部を除く部分から桁方向両側に延出する１対の延出部１５ｅとで平面視略Ｔ字状に形成されている。立面部１５ｃの先端縁、すなわち中央部１５ｄ及び延出部１５ｅの立面部１５ｃ先端側の端縁には、第１挟持壁部１５ｆが軒側に向けて一体に突設されている。また、各延出部１５ｅの立面部１５ｃ基端側の端縁には、棟側当接面部としての第２挟持壁部１５ｇが上記第１挟持壁部１５ｆに対向し、かつ第１挟持壁部１５ｆよりも桁方向両外側に張り出すように一体に突設されている。第２挟持壁部１５ｇにおける第１挟持壁部１５ｆの桁方向両端縁に対向する箇所には、軒棟方向に延びる棟側突出部としての突条部１５ｈが表側に向けて一体に突設されている。また、両第２挟持壁部１５ｇの桁方向外側に張り出した部分には、棟側に延出する延出壁部１５ｉが第２挟持壁部１５ｇと面一をなすように一体に形成され、該延出壁部１５ｉの先端部には、突出片部１５ｊが表側に向けて一体に突設されている。これら延出壁部１５ｉと突出片部１５ｊとで、ケーブルを所定の高さ位置に保持するためのケーブルフック１５ｋが構成されている。第１挟持壁部１５ｆの先端縁には、表側に突出して棟側に屈曲する３つの屈曲壁部１５ｍが、桁方向に互いに間隔を空けて一体に突設されている。各屈曲壁部１５ｍと第１挟持壁部１５ｆとで、桁方向に延びて棟側に開放する係合部としての溝１５ｎが形成されている。
【００２８】
上述のように構成された棟側フレーム部材１５は、該棟側フレーム部材１５の取付面部１５ａの棟側ネジ孔１５ｂ、ベースプレート９の棟側ネジ挿通孔９ｇ、及び棟側補助板１７の棟側締結孔１７ａに表側から順にネジ１９を挿通することにより、ベースプレート９に締結されている。
【００２９】
−軒側フレーム部材−
図８及び図９にも示すように、ベースプレート９の各軒側膨出部９ｈには、太陽電池パネル１１の軒側端部を支持する金属製の被係合部材としての軒側フレーム部材２１が棟側フレーム部材１５と軒棟方向に対向する位置に桁方向に間隔を空けて取り付けられている。また、棟側フレーム部材１５と対応する位置において、各軒側膨出部９ｈの裏側には、長方形状の軒側補助板２３が取り付けられている（図３参照）。軒側補助板２３には、１対の軒側締結孔２３ａが長手方向に間隔を空けて形成されている。
【００３０】
軒側フレーム部材２１は、その一方の面をベースプレート９に当接させた桁方向に長い平面視長方形板状の取付壁部２１ａを備えている。取付壁部２１ａには、１対の軒側ネジ孔２１ｂ（図３参照）が上記ベースプレート９の軒側ネジ挿通孔９ｉに対応するように長手方向（桁方向）に間隔を空けて形成されている。上記ベースプレート９の取付壁部２１ａの軒側の端縁には、板面を軒棟方向に向けてベースプレート９表方向に突出する板状の立壁部２１ｃが一体に形成されている。立壁部２１ｃの桁方向両端部は、取付壁部２１ａよりも桁方向両外側に突出している。該立壁部２１ｃの先端縁には、板面を表裏方向に向けた平面視略長方形状の長板部２１ｄがその長手方向両端部を立壁部２１ｃの桁方向外側に張り出した状態で棟側に向けて一体に突設されている。長板部２１ｄの先端縁の桁方向両端部には、板状の１対の軒側突出部としての突出壁部２１ｅが軒側に向かって表側に傾斜するように一体に突設されている。したがって、突出壁部２１ｅの基端は、若干折れ曲がっている。また、長板部２１ｄの先端縁の桁方向中央部には、板状の軒側当接面部としての中央壁部２１ｆが上記突出壁部２１ｅとの間に間隔を空けて軒側に向けて一体に突設されている。中央壁部２１ｆの先端近傍には、１対のフレーム側貫通孔２１ｇが桁方向に間隔を空けて形成されている。また、長板部２１ｄの先端縁における突出壁部２１ｅ突設箇所と中央壁部２１ｆ突設箇所との間には、板状の段差形成面部２１ｈが裏側に向けて一体に突設されている。該段差形成面部２１ｈの先端には、桁方向に延び、かつ軒側に向けて突出する被係合部としての突出片２１ｉが一体に突設されている。右側の軒側フレーム部材２１の突出片２１ｉ、及び右側の棟側フレーム部材１５の溝１５ｎの太陽電池パネル１１に対する桁方向の相対位置は互いに等しくなっており、左側の軒側フレーム部材２１の突出片２１ｉ、及び左側の棟側フレーム部材１５の溝１５ｎの太陽電池パネル１１に対する桁方向の相対位置も互いに等しくなっている。
【００３１】
上述のように構成された軒側フレーム部材２１は、該軒側フレーム部材２１の取付壁部２１ａの軒側ネジ孔２１ｂ、ベースプレート９の軒側ネジ挿通孔９ｉ、及び軒側補助板２３の軒側締結孔２３ａに表側から順にネジ２５を挿通することにより、ベースプレート９に締結されている。
【００３２】
−太陽電池パネル−
太陽電池パネル１１は、長方形板状をなし、その長手方向を桁方向に向けて設置されている。また、太陽電池パネル１１の表裏面は、軒側に向かってベースプレート９の表面から離間するように傾斜している。
【００３３】
太陽電池パネル１１は、５５１×９０８ｍｍの横長な矩形状のガラス基板裏面に、酸化スズ等の透明電極層、光半導体層、及び金属等の裏面電極層を順次形成し、これら各層をレーザ加工等でパターニングすることで発電部、配線部が形成された太陽電池素子を配置した後、ＥＶＡ（エチレン酢酸ビニル共重合体）、ポリオレフィン等の充填材、ガラス、ＰＥＴフィルム、又はテドラーフィルム等で前記素子形成面側を封止保護することで形成されている。
【００３４】
−ガスケット−
各太陽電池パネル１１の棟側端部には、断面略コ字状で延びる１対の長尺状のゴム製の棟側挟持部材としてのガスケット２７が桁方向に互いに間隔を空けて取り付けられている。ガスケット２７は、長板状の連結壁部２７ａと、該連結壁部２７ａの長手方向に延びる両端縁に突設された一対の長板状の対向壁部２７ｂとを有し、連結壁部２７ａの反対向壁部２７ｂ突設側の面には、連結壁部２７ａの長手方向に延びる一対のリブ２７ｃが互いに間隔を空けて突設されている。
【００３５】
そして、図１０に示すように、ガスケット２７の両対向壁部２７ｂは、太陽電池パネル１１の棟側端部を厚さ方向両側から挟持している。また、棟側フレーム部材１５の第１挟持壁部１５ｆと第２挟持壁部１５ｇとが、ガスケット２７及び太陽電池パネル１１の棟側端部を挟持している。したがって、棟側フレーム部材１５の第２挟持壁部１５ｇは、ガスケット２７に太陽電池パネル１１裏方向から当接している。一方、棟側フレーム部材１５の突条部１５ｈ（図７等参照）は、第２挟持壁部１５ｇよりも太陽電池パネル１１表方向に突出してガスケット２７に桁方向両外側から対向することで、ガスケット２７の桁方向の移動を規制している。また、棟側フレーム部材１５の立面部１５ｃは、ガスケット２７の両リブ２７ｃに棟側から当接している。また、棟側フレーム部材１５の溝１５ｎは、該棟側フレーム部材１５が取り付けられる太陽電池パネル１１の棟側端部の表側に位置している。このようにして、共通のベースプレート９に取り付けられた１対の棟側フレーム部材１５が、太陽電池パネル１１の棟側端部にガスケット２７を介して桁方向に互いに間隔を空けて取り付けられている。
【００３６】
一方、各太陽電池パネル１１の軒側端部にも、棟側端部と同様に、１対の軒側挟持部材としてのガスケット２７が桁方向に互いに間隔を空けて取り付けられている。そして、軒側フレーム部材２１の中央壁部２１ｆの基端部が、ガスケット２７に太陽電池パネル１１裏方向から当接している。したがって、軒側フレーム部材２１の突出片２１ｉは、該軒側フレーム部材２１が取り付けられる太陽電池パネル１１の軒側端部の裏側に位置している。また、軒側フレーム部材２１の突出壁部２１ｅが、中央壁部２１ｆの桁方向両外側で中央壁部２１ｆよりも太陽電池パネル１１表方向に突出してガスケット２７に桁方向両外側から対向することで、ガスケット２７の桁方向の移動を規制している。
【００３７】
さらに、各太陽電池パネル１１の軒側端部に取り付けられたガスケット２７の太陽電池パネル１１表側の対向壁部２７ｂには、長尺状のカバー部材２９が各太陽電池パネル１１の軒側端部を全長に亘って覆うように取り付けられている。カバー部材２９は、太陽電池パネル１１の軒側端部に表側から対向して該軒側端部を全長に亘って被覆する長板状の第１面部２９ａと、該第１面部２９ａの軒側端縁から裏側に延出して太陽電池パネル１１の軒側端面を全長に亘って被覆する長板状の第２面部２９ｂと、該第２面部２９ｂの裏側端縁から軒側に延出する長板状の第３面部２９ｃを備えている。第３面部２９ｃのガスケット２７取付領域には、１対のカバー側貫通孔２９ｄ（図３参照）が長手方向に間隔を空けて形成されている。第３面部２９ｃのガスケット２７取付領域を除く部分の軒側端縁には、太陽電池パネル１１裏方向に延出する長板状の第４面部２９ｅが形成されている。
【００３８】
上述のように構成されたカバー部材２９は、該カバー部材２９の第３面部２９ｃのカバー側貫通孔２９ｄ、及び軒側フレーム部材２１のフレーム側貫通孔２１ｇに太陽電池パネル１１表側から順にネジ３１を挿通することにより、軒側フレーム部材２１に締結されている。このようにして、共通のベースプレート９に取り付けられた１対の軒側フレーム部材２１が、太陽電池パネル１１の軒側端部にガスケット２７を介して桁方向に互いに間隔を空けて取り付けられている。
【００３９】
−端子箱、ケーブル、ケーブルフック−
図２に示すように、ベースプレート９表面の緩衝材１３よりも軒側でかつ、緩衝材１３に桁方向に挟まれた位置には、端子箱３３が設置されている。該端子箱３３には、1対のケーブル３５の基端部が収容され、各ケーブル３５の先端部には、コネクタ３７が接続されている。コネクタ３７は、隣接する建材一体型太陽電池モジュール５のコネクタ３７との接続や、パワーコンディショナ（図示省略）から引き出されたケーブルのコネクタ（図示省略）との接続に用いられる。
【００４０】
ケーブル３５は、先端部に接続されたコネクタ３７が、ケーブルフック１５ｋの近傍に配置されるように、ケーブルフック１５ｋに保持されている。具体的には、一方のケーブル３５（図２の右側）は、その先端部に接続されたコネクタ３７が棟側フレーム部材１５の棟側に位置するように、先端部近傍がケーブルフック１５ｋの表側に当接するように置かれることで保持されている。また、他方のケーブル３５の長手方向中途部は、左側の棟側フレーム部材１５の左側のケーブルフック１５ｋに保持されている。
【００４１】
＜屋根構造＞
上述のように構成された建材一体型太陽電池モジュール５ａ〜５ｆはベースプレート９の裏面が屋根下地３（防水シート３ｂ）の表面に当接し、かつ軒棟方向に隣り合う太陽電池パネル１１の位置が桁方向に１／２ずれるように並べて敷設されている。具体的には、建材一体型太陽電池モジュール５ａの太陽電池パネル１１の左側半分が、建材一体型太陽電池モジュール５ｄの太陽電池パネル１１の右側半分に軒側から隣接し、建材一体型太陽電池モジュール５ｂの太陽電池パネル１１の右側半分が、建材一体型太陽電池モジュール５ｄの太陽電池パネル１１の左側半分に軒側から隣接し、建材一体型太陽電池モジュール５ｂの太陽電池パネル１１の左側半分が、建材一体型太陽電池モジュール５ｅの太陽電池パネル１１の右側半分に軒側から隣接している。同様に、建材一体型太陽電池モジュール５ｃの太陽電池パネル１１の右側半分が、建材一体型太陽電池モジュール５ｅの太陽電池パネル１１の左側半分に軒側から隣接している。また、建材一体型太陽電池モジュール５ｄの太陽電池パネル１１の左側半分が建材一体型太陽電池モジュール５ｆの右側半分に軒側から隣接し、建材一体型太陽電池モジュール５ｅの太陽電池パネル１１の右側半分が建材一体型太陽電池モジュール５ｆの左側半分に軒側から隣接している。
【００４２】
図４Ａ及び図５に示すように、桁方向に隣接して配置された２つの建材一体型太陽電池モジュール（５ａと５ｂ、５ｂと５ｃ、５ｄと５ｅ）のうち、右側の建材一体型太陽電池モジュール５ａ，５ｂ，５ｄのベースプレート９の左側端部（桁方向一方の端部）が、左側の建材一体型太陽電池モジュール５ｂ，５ｃ，５ｅのベースプレート９の右側端部（桁方向他方の端部）に表側から重なっている。
【００４３】
桁方向に隣接する建材一体型太陽電池モジュール（５ａと５ｂ、５ｂと５ｃ、５ｄと５ｅ）のベースプレートの重なり幅Ｗ１は、毛細管現象による水の侵入量よりも幅広に設定する観点から、５０ｍｍ以上に設定させるのが好ましい。これにより、隣接配置されたベースプレート９の境界部分から水が侵入しても、その水が右側のベースプレート９の左側端部まで到達しない。
【００４４】
また、左側の建材一体型太陽電池モジュール５ｂ，５ｃ，５ｅのベースプレート９の右端の棟側取付孔９ｅが、右側の建材一体型太陽電池モジュール５ａ，５ｂ，５ｄのベースプレート９の左端の棟側取付孔９ｅに表側から重なっている。そして、左側の建材一体型太陽電池モジュール５ｂ，５ｃ，５ｅのベースプレート９の右端の棟側取付孔９ｅに座金（図示せず）を表側から対向させた状態で、座金（図示せず）、左側の建材一体型太陽電池モジュール５ｂ，５ｃ，５ｅのベースプレート９の右端の棟側取付孔９ｅ及び右側の建材一体型太陽電池モジュール５ａ，５ｂ，５ｄのベースプレート９の左端の棟側取付孔９ｅに表側から順に固定ネジ（図示せず）が挿入されて締結されている。これにより、桁方向に隣接配置された建材一体型太陽電池モジュール５ａ〜５ｅが接地される。ここで用いられる座金（図示せず）のベースプレート９との対向面は、ギザギザ状の凹凸面を構成している。したがって、前記固定ネジ（図示せず）を締結させる過程で、ベースプレート９の表面のメッキが座金（図示せず）の凹凸面との接触により剥がされ、固定ネジが座金を介してベースプレート９と導通する。また、軒棟方向に隣接する建材一体型太陽電池モジュール５ａ〜５ｆのベースプレート９は、棟側フレーム部材１５及び軒側フレーム部材２１を介して互いに導通している。したがって、他の建材一体型太陽電池モジュール５と軒棟方向に隣接していない建材一体型太陽電池モジュール５ｆも接地されている。
【００４５】
また、図４Ｂ及び図１０に示すように、軒棟方向に隣接して配置された２つの建材一体型太陽電池モジュール５ａ〜５ｆのうち、棟側の建材一体型太陽電池モジュール５ｄ〜５ｆのベースプレート９の軒側端部が、軒側の建材一体型太陽電池モジュール５ａ〜５ｅのベースプレート９の棟側端部に表側から重なっている。軒棟方向に隣接する建材一体型太陽電池モジュール５ａ〜５ｆのベースプレート９の重なり幅Ｗ２（図１０参照）は、毛細管現象による水の侵入量よりも幅広に設定する観点から、５０ｍｍ以上に設定させるのが好ましい。これにより、軒棟方向に隣接配置されたベースプレート９の境界部分から水が侵入しても、その水が軒側のベースプレート９の棟側端部まで到達しない。また、軒棟方向に隣接して配置された２つの建材一体型太陽電池モジュール５ａ〜５ｆのうち、棟側の建材一体型太陽電池モジュール５ｄ〜５ｆのベースプレート９の軒側膨出部９ｈが、軒側の建材一体型太陽電池モジュール５ａ〜５ｅのベースプレート９の棟側膨出部９ｆにベースプレート９表側から重なっている。
【００４６】
そして、図１０に示すように、軒棟方向に隣り合う２枚の太陽電池パネル１１のうち、軒側の太陽電池パネル１１における棟側の太陽電池パネル１１との隣接部分に取り付けられた棟側フレーム部材１５の溝１５ｎには、棟側の太陽電池パネル１１における軒側の太陽電池パネル１１との隣接部分に取り付けられた軒側フレーム部材２１の突出片２１ｉが挿入されて係合している。したがって、建材一体型太陽電池モジュール５ｄ，５ｅの太陽電池パネル（第２及び第３の太陽電池パネル）１１の軒側に隣接する建材一体型太陽電池モジュール５ｂの太陽電池パネル（第１の太陽電池パネル）１１の右側の棟側フレーム部材（第１の係合部材）１５の溝１５ｎには、建材一体型太陽電池モジュール５ｄの太陽電池パネル（第２の太陽電池パネル）１１の左側の軒側フレーム部材（第１の被係合部材）２１の突出片２１ｉが挿入されて係合している。また、建材一体型太陽電池モジュール５ｂの太陽電池パネル１１の左側の棟側フレーム部材（第２の係合部材）１５の溝１５ｎには、建材一体型太陽電池モジュール５ｅ（第３の太陽電池パネル）の太陽電池パネル１１の右側の軒側フレーム部材（第２の被係合部材）２１の突出片２１ｉが挿入されて係合している。
【００４７】
また、軒側に隣接する建材一体型太陽電池モジュール５がない建材一体型太陽電池モジュール５ａ〜５ｃの軒側フレーム部材２１には、図１１及び図１２に示す軒側部材３９が取り付けられている。軒側部材３９は、その一方の面を屋根下地３（防水シート３ｂ）に当接させて桁方向に延びる長板状の取付板部３９ａを有している。取付板部３９ａには、５つの軒側取付孔３９ｂが桁方向に互いに間隔を空けて形成されている。これら軒側取付孔３９ｂ及び屋根下地３にねじ（図示せず）を挿通させて締結することで、軒側部材３９が屋根下地３に固定されている。取付板部３９ａの長手方向に延びる軒側の端縁には、軒側に向かって屋根下地３表側に傾斜する傾斜板部３９ｃが取付板部３９ａと桁方向に同じ長さで延設され、該傾斜板部３９ｃの延出端には、取付板部３９ａと略平行に延びる延出板部３９ｄが取付板部３９ａと桁方向に同じ長さで延設されている。該延出板部３９ｄの延出端には、立板部３９ｅが表側に向かって立設されている。立板部３９ｅの先端には、板面を表裏方向に向けた１対の板状の差込部３９ｆが桁方向に互いに間隔を空けて棟側に向けて突設されている。これら差込部３９ｆは、建材一体型太陽電池モジュール５ａ〜５ｃの軒側フレーム部材２１の突出片２１ｉに表側から対向して軒側フレーム部材２１の表側への移動を規制するとともに、軒側フレーム部材２１の中央壁部２１ｆに裏側から対向して軒側フレーム部材２１の裏側への移動を規制している。したがって、軒側フレーム部材２１の表裏方向へのぐらつきが防止される。
【００４８】
また、棟側に隣接する太陽電池パネル１１がない太陽電池パネル１１、すなわち建材一体型太陽電池モジュール５ｆの太陽電池パネル１１の棟側には、第１棟側カバー４１が配設されている。第１棟側カバー４１は、板状の第１主面部４１ａと当該第１主面部４１ａの棟側に位置する第１棟側板部４１ｄとを備えている。第１主面部４１ａは、建材一体型太陽電池モジュール５ｆの棟側の屋根下地３（防水シート３ｂ）を表側から覆っている。また、第１棟側板部４１ｄは、第１棟側カバー４１の棟側に配設されるスレート７によって表側から覆われている（図１Ａ参照）。なお、図１３では、第１棟側カバー４１の第１棟側板部４１ｄを覆うスレート７の図示を省略している。該第１主面部４１ａの桁方向両端縁には、第１側面部４１ｂが裏側に向かって突設されている。第１棟側カバー４１の第１棟側板部４１ｄには、４つのビス孔４１ｃが桁方向に間隔を空けて形成されている。これらビス孔４１ｃ及び屋根下地３にねじ（図示せず）を挿通して締結することで、第１棟側カバー４１の第１棟側板部４１ｄとスレート７とが屋根下地３に固定されている（共締めされている）。また、第１棟側カバー４１の第１主面部４１ａの軒側端部は、図１３にも示すように、建材一体型太陽電池モジュール５ｆの両棟側フレーム部材１５の溝１５ｎに挿入されて係合している。
【００４９】
また、桁方向半分がスレート７に軒側から隣接する太陽電池パネル１１（建材一体型太陽電池モジュール５ａ，５ｃ，５ｄ，５ｅの太陽電池パネル１１）のスレート７隣接部分の棟側には、第２棟側カバー４３が配設されている。第２棟側カバー４３は、板状の第２主面部４３ａと当該第２主面部４３ａの棟側に位置する第２棟側板部４３ｄとを備えている。第２主面部４３ａは、軒側から隣接する建材一体型太陽電池モジュール５（例えば、建材一体型太陽電池モジュール５ａ，５ｃ，５ｄ，５ｅ）の棟側の屋根下地３（防水シート３ｂ）を表側から覆っている。また、第２棟側板部４３ｄは、第２棟側カバー４３の棟側に配置されるスレート７によって表側から覆われている（図１Ａ参照）。該第２主面部４３ａの桁方向両端縁には、第２側面部４３ｂが裏側に向かって突設されている。第２棟側カバー４３の第２棟側板部４３ｄには、２つのビス孔４３ｃが桁方向に間隔を空けて形成されている。これらビス孔４３ｃ及び屋根下地３にねじ（図示せず）を挿通して締結することで、第２棟側カバー４３の第２棟側板部４３ｄとスレート７とが屋根下地３に固定されている（共締めされている）。また、第２棟側カバー４３の第２主面部４３ａの軒側端部は、建材一体型太陽電池モジュール５ａ，５ｃ，５ｄ，５ｅの太陽電池パネル１１のスレート隣接部分に取り付けられた棟側フレーム部材１５の溝１５ｎに挿入されている。
【００５０】
また、建材一体型太陽電池モジュール５ａ，５ｃ〜５ｆのベースプレート９と当該ベースプレート９に桁方向に隣接するスレート７との境界には、図１Ｂに示すように、当該境界をその全長に亘って跨がり、かつ当該ベースプレート９の棟側端縁よりも棟側に延出した長尺状の水切りプレート４５が設けられている。
【００５１】
建材一体型太陽電池モジュール５ａ，５ｄ，５ｆの ベースプレート９の右側に位置する各水切りプレート４５の左側部分は、ベースプレート９の裏側でかつ、防水シート３ｂの表側に位置している。一方、当該ベースプレート９の右側に位置する各水切りプレート４５の右側部分は、スレート７の裏側でかつ、防水シート３ｂの表側に位置している。
【００５２】
建材一体型太陽電池モジュール５ｃ，５ｅ，５ｆのベースプレート９の左側に位置する各水切りプレート４５の右側部分は、ベースプレート９の表側でかつ、太陽電池パネル１１の裏側に位置している。一方、当該ベースプレート９の左側に位置する各水切りプレート４５の左側部分は、ベースプレート９の表側でかつ、スレート７の裏側に位置している。水切りプレート４５の第１棟側カバー４１又は第２棟側カバー４３と重なる領域は、第１棟側カバー４１又は第２棟側カバー４３の裏側でかつ、防水シート３ｂの表側に位置している。
【００５３】
上述のように構成された屋根面１は、屋根下地３表面全体を防水シート３ｂで覆った状態で、建材一体型太陽電池モジュール５ａ〜５ｆを敷設し、次に、建材一体型太陽電池モジュール５ａ，５ｄ，５ｆの右側の水切りプレート４５を、その左側部分が建材一体型太陽電池モジュール５ａ，５ｄ，５ｆのベースプレート９と防水シート３ｂで挟み込まれるように敷設するとともに、建材一体型太陽電池モジュール５ｃ，５ｅ，５ｆの左側の水切りプレート４５を、その右側部分が建材一体型太陽電池モジュール５ｃ，５ｅ，５ｆのベースプレート９の表面側に位置するように敷設し、最後にスレート７を敷設することによって施工できる。
【００５４】
したがって、本実施形態１によれば、２枚の太陽電池パネル１１のうち一方の太陽電池パネル１１の右側の棟側フレーム部材１５の溝１５ｎに、他方の太陽電池パネル１１の左側の軒側フレーム部材２１の突出片２１ｉを挿入して係合させるだけで、一方の太陽電池パネル１１が他方の太陽電池パネル１１に対して桁方向（左側）に１／２ずれた状態で位置決めされる。また、２枚の太陽電池パネル１１のうち一方の太陽電池パネル１１の左側の棟側フレーム部材１５の溝１５ｎに、他方の太陽電池パネル１１の右側の軒側フレーム部材２１の突出片２１ｉを挿入して係合させるだけで、一方の太陽電池パネル１１が他方の太陽電池パネル１１に対して桁方向（右側）に１／２ずれた状態で位置決めされる。したがって、太陽電池パネル１１を桁方向に位置決めする作業が容易になる。
【００５５】
また、右側の軒側フレーム部材２１の突出片２１ｉ、及び右側の棟側フレーム部材１５の溝１５ｎの太陽電池パネル１１に対する桁方向の相対位置が互いに等しく、かつ左側の軒側フレーム部材２１の突出片２１ｉ、及び左側の棟側フレーム部材１５の溝１５ｎの太陽電池パネル１１に対する桁方向の相対位置が互いに等しいので、２枚の太陽電池パネル１１のうち一方の太陽電池パネル１１の右側の棟側フレーム部材１５の溝１５ｎに、他方の太陽電池パネル１１の右側の軒側フレーム部材２１の突出片２１ｉを挿入して係合させるとともに、一方の太陽電池パネル１１の左側の棟側フレーム部材１５の溝１５ｎに、他方の太陽電池パネル１１の左側の軒側フレーム部材２１の突出片２１ｉを挿入して係合させると、一方の太陽電池パネル１１が他方の太陽電池パネル１１に対して桁方向にずれていない状態で位置決めされる。したがって、複数の建材一体型太陽電池モジュール５を、軒棟方向に隣り合う太陽電池パネル１１の位置を桁方向にずらさないで屋根面に設置する場合にも使用でき、建材一体型太陽電池モジュール５の汎用性が高い。
【００５６】
また、棟側フレーム部材１５の係合部を桁方向に延びる溝１５ｎとし、軒側フレーム部材２１の被係合部を桁方向に延びる突出片２１ｉとしたので、これら係合部及び被係合部を桁方向に短い部位とした場合に比べ、軒側フレーム部材２１の風等による浮き上がりがより確実に防止される。
【００５７】
また、軒棟方向に隣り合う１対の建材一体型太陽電池モジュール５ａ〜５ｆのうち軒側の建材一体型太陽電池モジュール５ａ〜５ｅを屋根面に設置した後、棟側の建材一体型太陽電池モジュール５ｄ〜５ｆを棟側から軒方向にスライドさせるだけで、棟側の建材一体型太陽電池モジュール５ｄ〜５ｆの軒側フレーム部材２１の突出片２１ｉを軒側の太陽電池パネル１１の棟側フレーム部材１５の溝１５ｎに挿入でき、棟側の建材一体型太陽電池モジュール５ｄ〜５ｆを棟方向にスライドさせる必要がないので、設置作業が容易である。
【００５８】
（実施形態２）
図１４は、実施形態２の図３相当図である。本実施形態２では、ベースプレート９の軒棟方向中程に、軒棟方向に長い長手形状をなし、かつ裏側に膨出する４つの補強用膨出部９ｋが桁方向に互いに間隔を空けて形成されている。
【００５９】
また、図１５に示すように、棟側フレーム部材１５の各延出壁部１５ｉの先端部に、円形の接続部としてのアース孔１５ｐが貫通形成されている。また、棟側フレーム部材１５の屈曲壁部１５ｍが、第１挟持壁部１５ｆの先端縁の桁方向両端部だけに１つずつ突設されている。また、棟側フレーム部材１５の第１挟持壁部１５ｆ、立面部１５ｃの延出部１５ｅ、及び第２挟持壁部１５ｇの桁方向両端から若干内側に離れた箇所に、切欠部１５ｑが第１挟持壁部１５ｆの突出方向（軒棟方向）全体、延出部１５ｅのベースプレート９の厚さ方向全体、及び第２挟持壁部１５ｇの基端部分（棟側部分）に亘って連続して形成されている。各切欠部１５ｑの第１挟持壁部１５ｆ側端縁には、棟方向に突出する細長形状の突片部１５ｒが形成されている。突片部１５ｒの先端には、ベースプレート９側に折れ曲がった先端折曲部１５ｓが形成されている。当該突片部１５ｒは、上記切欠部１５ｑ対応箇所を切り欠いて折り曲げることにより形成される。
【００６０】
そして、軒棟方向に隣り合う２つの太陽電池パネル（第１及び第２の太陽電池パネル）１１に取り付けられた棟側フレーム部材（第１及び第２の係合部材）１５のアース孔１５ｐに、アース線４７の端部に取り付けられた丸穴端子４７ａをねじ４９で締結することにより、両太陽電池パネル１１に取り付けられた棟側フレーム部材１５のアース孔（第１及び第２の接続部）１５ｐ周縁がアース線４７を介して接続され、軒棟方向に隣り合う太陽電池パネル１１が電気的に接続されている。
【００６１】
また、図１６に示すように、カバー部材２９の第１面部２９ａのガスケット２７取付領域の棟側端部に、その板面を軒棟方向に向けて桁方向に延びる長方形板状の雪止め部２９ｆが一体に突設されている。
【００６２】
また、軒側端部に位置する建材一体型太陽電池モジュール５ａ，５ｃのベースプレート９と当該ベースプレート９に桁方向に隣接するスレート７との境界に、水切りプレート４５に代えて、図１７及び図１８に示す長尺状の第１の水切り部材５１が設けられている。また、軒側端部に位置しない建材一体型太陽電池モジュール５ｄ〜５ｆのベースプレート９と当該ベースプレート９に桁方向に隣接するスレート７との境界に、水切りプレート４５に代えて、図１９に示す長尺状の第２の水切り部材５３が設けられている。
【００６３】
各水切り部材５１，５３は、略長板状の本体部材５５を備え、当該本体部材５５の幅方向両端部には、長手方向他端部を除く長手方向全体に亘って一方の面側の幅方向内側に折り返された断面Ｕ字状の折返部５５ａが形成されている。また、本体部材５５には、上記一方の面側に突出するように断面略Ｖ字状に屈曲し、かつ幅方向に短い間隔を空けて隣接する４対の屈曲部５５ｂが、幅方向に略等しい間隔を空けて長手方向全体に亘って形成されている。これにより、各対を構成する２つの屈曲部５５ｂと、両屈曲部５５ｂ間の本体部材５５とで、長手方向に延びる溝部５５ｃが構成されている。本体部材５５は、１枚のプレートを折り曲げることで構成されている。
【００６４】
上記本体部材５５の上記一方の面の幅方向中央部には、その長手方向一端部を除く全長に亘って突出部材５７が固定されている。突出部材５７は、１枚のプレートを折り曲げることで構成されている。突出部材５７は、互いに対向する１対の台形板部５７ａを備え、各台形板部５７ａは、平面視で長手方向一端から他端に向かって徐々に幅広となる互いに等しい台形状をなしている。両台形板部５７ａの幅方向一端縁は、互いに連結されている一方、両台形板部５７ａの幅方向他端縁には、張出板部５７ｂが互いに離れる方向に張出形成されている。そして、両張出板部５７ｂが、台形板部５７ａの幅狭側を上記本体部材５５の長手方向一端部側に向けた状態で、上記本体部材５５の上記一方の面の幅方向中央部に、本体部材５５の上記長手方向一端部を除く全長に亘ってかしめ固定されている。
【００６５】
第２の水切り部材５３の両台形板部５７ａの幅広側端縁の基端部には、切欠凹部５７ｃが幅狭側に凹むように形成されている一方、第１の水切り部材５１には、切欠凹部５７ｃが形成されていない。
【００６６】
そして、上述のように構成された各水切り部材５１，５３の本体部材５５の長手方向一端部（突出部材５７非配設領域）を除く部分は、その板面をベースプレート９表面（屋根下地３表面）に沿わせた状態で、建材一体型太陽電池モジュール５ａ，５ｃ〜５ｆのベースプレート９と当該ベースプレート９に桁方向に隣接するスレート７との境界を跨いでいる。各水切り部材５１，５３の両台形板部５７ａは、ベースプレート９とスレート７との境界に対応する位置で表側に突出している。両台形板部５７ａの先端は、太陽電池パネル１１の表裏面に沿うように、ベースプレート９の表面に対して傾斜し、太陽電池パネル１１の端縁に接近している。
【００６７】
本実施形態２においても、実施形態１と同様に、建材一体型太陽電池モジュール５ａ，５ｄ，５ｆのベースプレート９の右側に位置する各水切り部材５１，５３の左側部分は、ベースプレート９の裏側でかつ、防水シート３ｂの表側に位置している。一方、当該ベースプレート９の右側に位置する各水切り部材５１，５３の右側部分は、スレート７の裏側でかつ、防水シート３ｂの表側に位置している。
【００６８】
建材一体型太陽電池モジュール５ｃ，５ｅ，５ｆのベースプレート９の左側に位置する各水切り部材５１，５３の右側部分は、ベースプレート９の表側でかつ、太陽電池パネル１１の裏側に位置している。一方、当該ベースプレート９の左側に位置する各水切り部材５１，５３の左側部分は、ベースプレート９の表側でかつ、スレート７の裏側に位置している。また、各水切り部材５１，５３の本体部材５５の長手方向一端部（突出部材５７非配設領域）は、ベースプレート９とスレート７との境界よりも棟側に延出している。各水切り部材５１，５３の本体部材５５の長手方向一端部の第１棟側カバー４１又は第２棟側カバー４３と重なる領域は、第１棟側カバー４１又は第２棟側カバー４３の裏側でかつ、防水シート３ｂの表側に位置している。
【００６９】
各第２の水切り部材５３の切欠凹部５７ｃには、当該第２の水切り部材５３に軒側から隣接する太陽電池パネル１１の棟側端部が嵌合している。
【００７０】
その他の構成は、実施形態１と同じであるので、同一の構成要素には同一の符号を付してその詳細な説明を省略する。  
【００７１】
したがって、本実施形態２によれば、ベースプレート９に補強用膨出部９ｋを形成したので、ベースプレート９の変形が防止される。
【００７２】
また、棟側フレーム部材１５にアース孔１５ｐを設けたので、アース孔１５ｐを設けるための部材を、棟側フレーム部材１５とは別に設ける場合に比べ、部品点数を削減できる。
【００７３】
また、カバー部材２９に雪止め部２９ｆを一体に設けたので、雪止め用の部品を雪止め部２９ｆとは別に設ける場合に比べ、部品点数を削減できる。また、雪止め用の部品をカバー部材２９又は太陽電池パネル１１に取り付ける手間が不要になるので、施工を容易にできる。
【００７４】
また、各水切り部材５１，５３に台形板部５７ａを設けたので、太陽電池パネル１１の裏側に桁方向外側から水、虫、及び小動物が侵入するのを抑制できる。
【００７５】
また、各水切り部材５１，５３の両台形板部５７ａの先端が、太陽電池パネル１１の表面から突出しないように形成されているので、台形板部５７ａが太陽光を遮ることがない。
【００７６】
また、各水切り部材５１，５３の両台形板部５７ａの先端が、太陽電池パネル１１の端縁に接近しているので、太陽電池パネル１１と台形板部５７ａの先端との間から水、虫、及び小動物が侵入するのを抑制できる。
【００７７】
また、スレート７を敷設する際、各水切り部材５１，５３の台形板部５７ａにスレート７の桁方向端縁を当接させることにより、スレート７を桁方向に位置決めできる。
【００７８】
また、各水切り部材５１，５３を本体部材５５と突出部材５７とで構成したので、各水切り部材５１，５３全体を一部材で構成する場合に比べ、曲げ加工の対象となるプレートの大きさを小さくでき、持ち運びし易くなるので、曲げ加工が容易になる。また、水切り部材５１，５３の構成部材の打ち抜き加工における材料の利用率を高めることができる。
【００７９】
また、各水切り部材５１，５３の溝部５５ｃの側壁、すなわち屈曲部５５ｂが、溝部５５ｃの内側に付着した水が溝部５５ｃの外側に広がるのを抑制するので、排水性が向上する。
【００８０】
また、各水切り部材５１，５３の折返部５５ａが、各水切り部材５１，５３の折返部５５ａよりも幅方向内側に付着した水が幅方向外側に広がるのを抑制するので、各水切り部材５１，５３の裏側への水の浸入が抑制される。
【００８１】
（実施形態２の変形例１）
図２０は、実施形態２の変形例１の図１８相当図である。本変形例１では、各水切り部材５１，５３が、本体部材５５に代えて、左側水切り構成部材５９と当該左側水切り構成部材５９に右側から隣接するように配設された右側水切り構成部材６１を備えている。左側水切り構成部材５９及び右側水切り構成部材６１は、それぞれ略長板状の主板部６３を備えている。そして、上記屈曲部５５ｂが、各主板部６３の幅方向中途部に２対ずつ幅方向に間隔を空けて形成されている。また、上記折返部５５ａが、左側水切り構成部材５９の主板部６３の左側端部、及び右側水切り構成部材６１の主板部６３の右側端部に形成されている。また、左側水切り構成部材５９の右側端縁及び右側水切り構成部材６１の左側端縁には、突壁部６５が棟側端部を除く長手方向全体に亘って突設されている。また、突出部材５７に張出板部５７ｂが形成されておらず、左側の台形板部５７ａが左側水切り構成部材５９の突壁部６５にかしめ固定され、かつ右側の台形板部５７ａが右側水切り構成部材６１の突壁部６５にかしめ固定されている。
【００８２】
その他の構成は、実施形態２と同じであるので、同一の構成要素には同一の符号を付してその詳細な説明を省略する。
【００８３】
（実施形態２の変形例２）
図２１は、実施形態２の変形例２の図１８相当図である。本変形例２では、各水切り部材５１，５３が、本体部材５５の一部材だけで構成されている。本体部材５５の幅方向中央部を折り曲げることで、上記台形板部５７ａが構成されている。
【００８４】
その他の構成は、実施形態２と同じであるので、同一の構成要素には同一の符号を付してその詳細な説明を省略する。
【００８５】
（実施形態３）
図２２は、実施形態３の図１Ｂ相当図である。本実施形態３では、屋根面１に、建材一体型太陽電池モジュール５が３行３列に配設されている。そして、軒棟方向に隣り合う水切り部材５１，５３のうち、棟側の水切り部材５３の軒側端部（折返部５５ａ非形成領域）が、軒側の水切り部材５１，５３の本体部材５５の棟側端部（突出部材５７非配設領域）に表側から重なっている。棟側の水切り部材５３の軒側端部の幅方向両端部は、軒側の水切り部材５１，５３の本体部材５５の棟側端部の折返部５５ａにより、表側への移動が規制されている。
【００８６】
その他の構成は、実施形態２と同じであるので、同一の構成要素には同一の符号を付してその詳細な説明を省略する。
【００８７】
したがって、本実施形態３によれば、軒棟方向に隣り合う水切り部材５１，５３のうち、棟側の水切り部材５３の軒側端部には、折返部５５ａが形成されていないので、折返部５５ａを形成した場合に比べ、棟側の水切り部材５３の軒側端部を軒側の水切り部材５１，５３の棟側端部に表側から重ね易い。
【００８８】
（実施形態３の変形例１）
図２３は、実施形態３の変形例１の図２２相当図である。本変形例１では、本体部材５５が、棟側に向かって徐々に幅広となる等脚台形板状に形成されている。また、折返部５５ａが、本体部材５５の幅方向両端部の長手方向全体に亘って形成されている。
【００８９】
その他の構成は、実施形態３と同じであるので、同一の構成要素には同一の符号を付してその詳細な説明を省略する。
【００９０】
したがって、本変形例１によれば、軒棟方向に隣り合う水切り部材５１，５３のうち、棟側の水切り部材５３の軒側端部が、軒側の水切り部材５１，５３の本体部材５５の棟側端部よりも幅狭となるので、棟側の水切り部材５３の軒側端部を軒側の水切り部材５１，５３の棟側端部に表側から重ね易い。
【００９１】
（実施形態３の変形例２）
図２４は、実施形態３の変形例２の図２２相当図である。本変形例２では、軒棟方向に並んだ３つの水切り部材５１，５３に代えて、図２５に示す長尺状の３段用水切り部材６７がその長手方向を軒棟方向に向けて配設されている。当該３段用水切り部材６７は、その板面をベースプレート９表面（屋根下地３表面）に沿わせた略長板状の本体部材６９を備えている。当該本体部材６９の幅方向中央部における棟側端部を除く部分には、３つの突出部材５７がその台形板部５７ａを表側に突出させ、かつ台形板部５７ａの幅狭側を棟側に向けた状態で軒棟方向に互いに隣り合うように固定されている。本体部材６９には、上記折返部５５ａ及び屈曲部５５ｂが長手方向全体に亘って形成されている。
【００９２】
その他の構成は、実施形態３と同じであるので、同一の構成要素には同一の符号を付してその詳細な説明を省略する。
【００９３】
したがって、本変形例２によれば、３つの水切り部材５１，５３を互いに重ねる手間が不要となるので、施工作業を容易にできる。
【００９４】
なお、上記実施形態１，２及び実施形態２の変形例１，２では、軒棟方向に隣り合う太陽電池パネル１１の桁方向のずれ幅を太陽電池パネル１１の１／２の幅としたが、棟側フレーム部材１５及び軒側フレーム部材２１の桁方向の位置を調整することにより、軒棟方向に隣り合う太陽電池パネル１１の桁方向のずれ幅を太陽電池パネル１１の１／２以外の幅としてもよい。
【００９５】
また、上記実施形態１〜３、実施形態２，３の変形例１，２では、ベースプレート９の表側に緩衝材１３を配置したが、本発明は、ベースプレート９の裏側に緩衝材１３を配置した場合にも適用できる。
【００９６】
また、上記実施形態２，３及び実施形態２，３の変形例１，２では、アース孔（第１及び第２の接続部）１５を、軒棟方向に隣り合う２つの太陽電池パネル（第１及び第２の太陽電池パネル）１１の棟側フレーム部材１５に形成したが、軒側フレーム部材２１に形成してもよい。
【００９７】
また、上記実施形態２，３、及び実施形態２，３の変形例１，２では、カバー部材２９に雪止め部２９ｆを設けたが、設けなくてもよい。また、複数のカバー部材２９のうちの一部だけに設けるようにしてもよい。
【符号の説明】
【００９８】
１    屋根面
１１    太陽電池パネル
１５      棟側フレーム部材（第１及び第２の係合部材）
１５ｇ      第２挟持壁部（棟側当接面部）
１５ｈ      突条部（棟側突出部）
１５ｎ      溝（係合部）
１５ｑ      アース孔（第１及び第２の接続部）
２１      軒側フレーム部材（第１及び第２の被係合部材）
２１ｆ      中央壁部（軒側当接面部）
２１ｅ      突出壁部（軒側突出部）
２１ｉ      突出片（被係合部）
４７      アース線
５５      ガスケット（棟側挟持部材、軒側挟持部材）
【図１Ａ】
2020054197.tif 000003
【図１Ｂ】
2020054197.tif 000004
【図２】
2020054197.tif 000005
【図３】
2020054197.tif 000006
【図４Ａ】
2020054197.tif 000007
【図４Ｂ】
2020054197.tif 000008
【図５】
2020054197.tif 000009
【図６】
2020054197.tif 000010
【図７】
2020054197.tif 000011
【図８】
2020054197.tif 000012
【図９】
2020054197.tif 000013
【図１０】
2020054197.tif 000014
【図１１】
2020054197.tif 000015
【図１２】
2020054197.tif 000016
【図１３】
2020054197.tif 000017
【図１４】
2020054197.tif 000018
【図１５】
2020054197.tif 000019
【図１６】
2020054197.tif 000020
【図１７】
2020054197.tif 000021
【図１８】
2020054197.tif 000022
【図１９】
2020054197.tif 000023
【図２０】
2020054197.tif 000024
【図２１】
2020054197.tif 000025
【図２２】
2020054197.tif 000026
【図２３】
2020054197.tif 000027
【図２４】
2020054197.tif 000028
【図２５】
2020054197.tif 000029
【国際調査報告】
2020054197.tif 000030
2020054197.tif 000031